(57)【特許請求の範囲】
【請求項１】
左右の脚体の上端部に、天板の下面両側部に取付けた上アームを上下回動可能に連結し、第１係合部と第２係合部を有する天板固定金具を前記脚体に関連した固定部に設けて前記上アーム内に配置し、該天板を水平姿勢と上方へ回動させた起立姿勢とに固定する折畳み式テーブルの上アームユニットであって、前記上アームの両側板間に、ロック金具と該ロック金具を操作する操作部材を独立して回動可能に設け、前記ロック金具の先端部に前記天板固定金具の第１係合部又は第２係合部に係合するロックピンを備えるとともに、該ロック金具をロックピンが前記天板固定金具に係合する方向に弾性付勢手段で付勢し、前記操作部材にはロック金具の操作片に当接してロック解除方向に駆動する押圧部を備えているとともに、中央部に左右の機構部を連動するシャフトを回転不能に嵌合する角孔を貫通形成し、更に前記上アームの両側板に形成した円孔に、両側板の内側から中央に前記シャフトを嵌挿する角孔を形成したブッシュを回動可能に嵌入するとともに、両ブッシュの内側端部に前記操作部材の両端部を抜止め嵌合して装着し、該操作部材の角孔と両ブッシュの角孔を連通させた状態で前記シャフトを各角孔に嵌挿したことを特徴とする折畳み式テーブルの上アームユニット。
【請求項２】
前記ロック金具は一対の平行なロック片を有するとともに、両ロック片の基端側にそれぞれ前記操作片を形成し、前記操作部材の押圧部の中央部に、両操作片間に係合してロック金具の位置決めをするスペーサ部を突設してなる請求項１記載の折畳み式テーブルの上アームユニット。
【発明の詳細な説明】
【技術分野】
【０００１】
本発明は、折畳み式テーブルの上アームユニットに係わり、更に詳しくは天板を略水平な水平姿勢と上方へ回動させた起立姿勢とることが可能な折畳み式テーブルの上アームユニットに関するものである。
【背景技術】
【０００２】
従来から、左右の脚体の上端部に、天板の下面両側部を上下回動可能に連結し、該天板を略水平な使用状態と上方へ回動させた折畳み状態とに固定する折畳み式テーブルは各種提供されている。そして、天板の両側下面に取付けた上アームを脚体の上端部に上下回動可能に連結するとともに、天板が水平姿勢と起立姿勢とを維持するロック機構を上アーム内に設けることも公知である。
【０００３】
例えば、特許文献１には、脚体の左右のブラケットに、天板裏面の左右両側の天板受け金具が枢支ピンを介して枢着され、後部位置でロック部材が天板受け金具に枢支され、ブラケットの周縁部に２つの係止凹部を有し、ロック部材には枢支部を中心とする半径方向の長孔が形成され、また天板受け金具には長手方向に長孔が形成され、ロック部材の長孔と天板受け金具の長孔とに遊嵌されたロックピンが天板の水平姿勢で下位の係止凹部に、起立姿勢では上位の係止凹部にそれぞれ係合し、これら係合状態で長孔が係止凹部の凹入方向に斜交するよう設定され、ロックピンを係合方向に付勢するロックばねを備え、左右のロック部材が連結杆を介して一体化され、両ロック部材の少なくとも一方に操作レバーが固設された折り畳み式テーブルが開示されている。
【０００４】
しかし、特許文献１に記載されたロック装置は、ロックピンの両端部がそれぞれロック部材の長孔と天板受け金具の長孔とが交差する位置に遊嵌し、一対のブラケットの周縁部に形成された係止凹部に同時に係合するように、ロックピンの中間部の一点をロックばねで係合方向に付勢した構造であるので、組立時に４つの長孔にロックピンを同時に挿入する作業を伴うとともに、ロック部材の枢軸にコイル部を挿入したロックばねの弾性片をロックピンに係止する作業が必要であり、組立に手間がかかるばかりでなく、一対のブラケットの両係止凹部にロックピンを同時に係合するようにするには、脚体間に渡設された水平フレームへの正確に二枚のブラケットを溶接しなければならず、高い溶接精度が要求され、更にロックピンの中間部の一点をロックばねで付勢するので、ロックピンが傾斜して両側の係止凹部に同時に係合することが困難になることも予想される。更に、左右のロック部材が直接連結杆を介して一体化した構造であるので、高い精度が出てない場合には左右のロック部材が正確に連動せず、ロック操作に遅れや進みが生じ、ロックが不完全になる恐れがある。
【０００５】
一方、特許文献２には、左右の脚体の上端部に、天板の下面両側部を上下回動可能に連結し、該天板を略水平な使用状態と上方へ回動させた折畳み状態とに固定する折畳み式テーブルのロック装置であって、前記脚体に設けた支持板に主軸にて前記天板を回動可能に連結するとともに、該支持板の縁部に第１係合部と第２係合部を形成し、前記天板下面の両側部にそれぞれ上下傾動可能に配した規制部材の先端部に突設した規制部が、使用状態時に前記第１係合部に係合し、折畳み状態時に前記第２係合部に係合すべく該規制部材を弾性付勢するとともに、該規制部材の基端部に設けた操作片に当接して、前記規制部が第１係合部又は第２係合部から離れる方向に前記規制部材を操作する操作部材を、天板下面の両側部にそれぞれ回動可能に設けた折畳み式テーブルのロック装置が開示されている。
【０００６】
この特許文献２では、脚体に設けた支持板の係合部に係合して天板の姿勢を保持する規制部材と、該規制部材を傾動操作する操作部材を別体で形成し、規制部材の規制部が支持板の係合部に係合するように該規制部材を弾性付勢し、また左右の操作部材をシャフトで連動するようにしたので、左右両側において自動的にロックされるので、ロック操作に遅れや進みが生じる恐れがないのである。しかし、支持板の係合部に係合する規制部が規制部材の先端に固定されているので、確実にロックするには規制部材自体の精度と取付精度が要求され、またロック時の規制力が規制部材の枢軸に直接かかるので、枢軸に対する強度要求も高くなる。また、前記規制部材は、連動シャフトを貫通させて装着してはじめて、所定位置で回動動作可能となるので、ロック機構の動作確認をするには連動シャフトを装着しなければならないといった不都合があった。
【特許文献１】特開平６−１５４０３２号公報
【特許文献２】特開２００４−１２１４４１号公報
【発明の開示】
【発明が解決しようとする課題】
【０００７】
本発明が前述の状況に鑑み、解決しようとするところは、左右の脚体の上端部に、天板の下面両側部に取付けた上アームを上下回動可能に連結し、第１係合部と第２係合部を有する天板固定金具を前記脚体に関連した固定部に設けて前記上アーム内に配置し、該天板を水平姿勢と上方へ回動させた起立姿勢とに固定する折畳み式テーブルにおいて、左右のロック機構部をユニットとして構成し、動作確認も在庫管理もユニットで行えるようになした折畳み式テーブルの上アームユニットを提供する点にある。
【課題を解決するための手段】
【０００８】
本発明は、前述の課題解決のために、左右の脚体の上端部に、天板の下面両側部に取付けた上アームを上下回動可能に連結し、第１係合部と第２係合部を有する天板固定金具を前記脚体に関連した固定部に設けて前記上アーム内に配置し、該天板を水平姿勢と上方へ回動させた起立姿勢とに固定する折畳み式テーブルの上アームユニットであって、前記上アームの両側板間に、ロック金具と該ロック金具を操作する操作部材を独立して回動可能に設け、前記ロック金具の先端部に前記天板固定金具の第１係合部又は第２係合部に係合するロックピンを備えるとともに、該ロック金具をロックピンが前記天板固定金具に係合する方向に弾性付勢手段で付勢し、前記操作部材にはロック金具の操作片に当接してロック解除方向に駆動する押圧部を備えているとともに、中央部に左右の機構部を連動するシャフトを回転不能に嵌合する角孔を貫通形成し、更に前記上アームの両側板に形成した円孔に、両側板の内側から中央に前記シャフトを嵌挿する角孔を形成したブッシュを回動可能に嵌入するとともに、両ブッシュの内側端部に前記操作部材の両端部を抜止め嵌合して装着し、該操作部材の角孔と両ブッシュの角孔を連通させた状態で前記シャフトを各角孔に嵌挿したことを特徴とする折畳み式テーブルの上アームユニットを構成した（請求項１）。
【０００９】
また、前記ロック金具は一対の平行なロック片を有するとともに、両ロック片の基端側にそれぞれ前記操作片を形成し、前記操作部材の押圧部の中央部に、両操作片間に係合してロック金具の位置決めをするスペーサ部を突設してなることがより好ましい（請求項２）。
【発明の効果】
【００１０】
請求項１によれば、上アームの両側板間にロック金具と該ロック金具を操作する操作部材を独立して回動可能に設け、更にロック金具をその先端部に備えたロックピンが天板固定金具に係合する方向に弾性付勢手段で付勢したので、製造上のバラツキによる天板のガタツキを防止することができ、また従来は連動シャフトを装着しないとロックピンの動作確認ができなかったが、連動シャフトを通さなくても操作部材を回動させてロック金具を操作することができるので、動作確認することができる。また、ロック金具と操作部材を分離し、しかもロック金具を天板固定金具に係合する方向に弾性付勢手段しているので、連動シャフト、操作部材の製造バラツキに関係なく、ロック金具が個別にロック方向に傾動するので、確実且つガタツキなくロックがかかり、もって天板を水平姿勢と起立姿勢とにガタツキなく維持することができる。そして、上アームがユニット化されるので、動作確認をした上でユニットとして在庫管理ができるので、効率的である。更に、上アームの両側板に形成した円孔に、両側板の内側から中央に前記シャフトを嵌挿する角孔を形成したブッシュを回動可能に嵌入するとともに、両ブッシュの内側端部に前記操作部材の両端部を抜止め嵌合して装着し、該操作部材の角孔と両ブッシュの角孔を連通させてなるので、操作部材を上アームの両側板間に回動可能に組み付ける作業が極めて簡単になり、連動シャフトを操作部材に通さなくてもそれ自体で回動操作するので、ロック金具との連係動作を確認することができる。
【００１１】
請求項２によれば、ロック金具は一対の平行なロック片を有するとともに、両ロック片の基端側にそれぞれ前記操作片を形成し、前記操作部材の押圧部の中央部に、両操作片間に係合してロック金具の位置決めをするスペーサ部を突設してなるので、上アームの両側板間に回動可能に装着したロック金具がその支軸の方向へ移動することを規制し、常にロック金具を上アームの両側板間の中央に位置させることができるので、ロック動作及びロック解除動作をスムーズ且つ確実に行うことができる。
【発明を実施するための最良の形態】
【００１２】
次に、添付図面に示した実施形態に基づき、本発明を更に詳細に説明する。図１は、本実施形態の折畳み式テーブルの水平姿勢における全体側面図、図２は起立姿勢における収納状態の側面図、図３は回動機構部及びロック機構部を示す部分側面図、図４〜図２０は各部の詳細を示している。図中符号１は脚体、２は天板、３は幕板、４は機構部、５は操作レバーをそれぞれ示している。
【００１３】
本実施形態の折畳み式テーブルは、左右の脚体１，１の上端部に、天板２の下面両側部を上下回動可能に連結し、該天板２を略水平な水平姿勢（図１参照）と天板２の前部を上方へ回動させた起立姿勢（図２参照）とに変更することができるとともに、前記天板２の後部下方に配した幕板３を、天板２後部下方に接近して垂下した使用状態と両脚体１，１の後縁に沿った折畳み状態との間を移動可能に前記天板２と連動させてリンク連結したものであり、水平姿勢と起立姿勢になったときロック可能な構造となっている。起立姿勢では前後にスタッキング可能となっている。
【００１４】
前記脚体１の上端と天板２は、両側下面においてそれぞれ機構部４，４によって連結され、側面に露出した操作レバー５を下方へ押し下げることによりロックが解除され、天板２を水平姿勢と起立姿勢の間で回動変位させることができ、そして水平姿勢と起立姿勢に至ったとき、自動的にロックがかかるようになっている。本実施形態では、前記操作レバー５を押し下げてロックを解除するようにしたので、不意に足や他物が操作レバー５に当たってもロックが解除されない。また、天板２の側部寄り位置に着座している使用者の膝が操作レバー５に当たる場合があり、そのような場合にもロックが解除されない。
【００１５】
先ず、前記脚体１は、前後方向を向いた接地脚６の後部から斜め前上方へ延びた支持脚７を有する正面視略倒Ｌ字形であり、アルミダイカスト製で一体形成したものである。しかし、本発明では脚体１の構造には限定されない。そして、両側の脚体１，１の上端部間を脚連結部材８を介して連結管９で連結して一体化している。尚、前記脚連結部材８は、後述のように前記天板２の回転軸を兼ねている。
【００１６】
前記機構部４は、図１及び図１７に示すように、全体を合成樹脂製のカバー１０で覆われ、前部側面から前記操作レバー５が露出している。前記カバー１０の後部には天板２の下面後部に沿って設けたダクト１１の両端部を支持している。尚、前記ダクト１１の上位に天板２から出没自在なコンセントボックス１２を設けている。そして、前記カバー１０の内部には機構部４のフレームとなる金属製の上アーム１３が天板２の下面に取付けられている。つまり、左右の脚体１，１の上端部に、天板２の下面両側部に取付けた上アーム１３，１３を上下回動可能に連結している。
【００１７】
前記上アーム１３は、図７及び図８に示すように、前記天板２に取付ける固定板１４の両側から側板１５，１５を垂下した断面略コ字形で、側面視逆台形状の部材である。そして、前記上アーム１３の両側板１５，１５間に、前記連結管９の端部に固定した天板固定金具１６と、ロック金具１７及び該ロック金具１７を操作する操作部材１８を配している。
【００１８】
更に詳しくは、図３〜図９に示すように、前記脚体１に関連した固定部に設けた天板固定金具１６に第１係合部１９と第２係合部２０を形成し、前記上アーム１３の両側板１５，１５に、前記ロック金具１７の中間部を支軸２１にて上下回動可能に設けるとともに、前記天板固定金具１６の第１係合部１９又は第２係合部２０に係合して水平姿勢と起立姿勢を維持するロックピン２２を、係合位置に案内するように前記上アーム１３の両側板１５，１５に形成した長孔２３，２３に遊挿するとともに、前記ロック金具１７の先端部に形成した二股状の係止部２４に前記ロックピン２２を受け入れ、更にロック金具１７をロックピン２２が第１係合部１９又は第２係合部２０に係合する方向に弾性付勢手段２５で付勢し、前記操作部材１８の操作に基づいてロック金具１７を回動させてロックピン２２を前記長孔２３，２３に沿って退避させて第１係合部１９又は第２係合部２０との係合を解除するのである。つまり、水平姿勢と起立姿勢では、弾性付勢手段２５の付勢力によって、前記ロックピン２２は長孔２３，２３で案内されて自動的に前記天板固定金具１６の第１係合部１９又は第２係合部２０に係合してロックがかかるのである。尚、本発明では、前記ロックピン２２をロック金具１７の先端部に一体的に固定されていても構わない。
【００１９】
ここで、前記ロック金具１７は、中間部で連続した一対の平行なロック片２６，２６を有し、両ロック片２６，２６の先端部にそれぞれ二股状の係止部２４，２４を形成し、前記上アーム１３の両側板１５，１５間に装着した状態で、両ロック片２６，２６の間に前記天板固定金具１６が位置するように構成している。また、前記ロック金具１７の両ロック片２６，２６に形成した前記支軸２１を挿通する軸孔２７，２７よりも基端側に、前記操作部材１８で回動操作するための操作片２８，２８を設けている。前記弾性付勢手段２５は、キックばねで構成し、該キックばね２５のコイル部２５Ａを前記ロック金具１７の一側の支軸２１に挿通し、一方に弾性片２５Ｂを前記上アーム１３の固定板１４に当止し、他方のクランク状に屈曲した弾性片２５Ｃを前記ロック金具１７の両ロック片２６，２６を跨ぐように係止している。
【００２０】
また、前記天板２が水平姿勢あるいは起立姿勢をとるとき、前記天板固定金具１６の第１係合部１９及び第２係合部２０の係合縁に沿った方向に前記長孔２３，２３を形成して、ロック動作時とロック解除動作時にスムーズにロックピン２２が係合位置へ移動することができるようにしている。
【００２１】
そして、図３及び図４に示すように、前記天板固定金具１６の前側に前記第１係合部１９と第２係合部２０を形成するとともに、その前方に前記ロック金具１７を配置し、水平姿勢において、前記第１係合部１９にロックピン２２が係合して天板２の前部の上方回動を規制するとともに、前記天板固定金具１６の上端に形成した第１当止部２９が前記上アーム１３の固定板１４に当止して天板２の前部の下方回動を規制し、起立姿勢において、前記第２係合部２０にロックピン２２が係合して天板２の前部の前方回動を規制するとともに、前記天板固定金具１６の後端に形成した第２当止部３０が前記上アーム１３の固定板１４に当止して天板２の前部の後方回動を規制している。
【００２２】
次に、回動機構部について、図４〜図１２に基づいて説明する。前記上アーム１３の外側の側板１５には、円形の軸受孔３１を形成するとともに、内側の側板１５にはＵ字開口３２を形成し、該Ｕ字開口３２の上部に連続するように前記固定板１４に前記天板固定金具１６を挿通可能な切欠部３３を形成している。前記Ｕ字開口３２の下部の半円部分は前記軸受孔３１と同軸位置になっている。そして、前記軸受孔３１に合成樹脂製の摺動リング３４を外側から嵌着し、また前記Ｕ字開口３２と切欠部３３とに下部に前記連結管９に摺動可能に外嵌する合成樹脂製の閉塞部材３５を外側から嵌着し、前記摺動リング３４に外側から回動可能に嵌合した前記脚連結部材８を上アーム１３内で前記連結管９の端部に回動不能に連結するようになっている。
【００２３】
ここで、前記脚連結部材８は、正面視略倒Ｌ字形を有し、下方に延びた連結部３６を前記脚体１の支持脚７に嵌合し、高さ調節してボルト止めできるようになっており、水平に延びた水平部３７には円柱状の軸部３８を有し、該軸部３８を前記摺動リング３４に回動可能に嵌合できるようになっている。つまり、前記天板２は、脚体１に連結された前記脚連結部材８の軸部３８が、前記上アーム１３の外側の側板１５に形成した軸受孔３１に摺動リング３４を介して回動可能に連結することにより、上下回動可能となっている。
【００２４】
本実施形態では、前記閉塞部材３５は、一体成形で作製し、前記連結管９を嵌合するリング部３９にスリット４０を入れて、捩じってスリット４０を拡開した状態で前記連結管９に外嵌した後、元の状態に復元した状態で、前記天板固定金具１６を上アーム１３の切欠部３３から挿入し、前記連結管９を前記Ｕ字開口３２内に位置させながら該閉塞部材３５をＵ字開口３２と切欠部３３とに嵌着するようにしている。しかし、図１９及び図２０に示すように、上下二つ割りの閉塞部材４１を合成樹脂で成形し、上部閉塞部材４１Ａと下部閉塞部材４１Ｂを前記上アーム１３のＵ字開口３２内に位置させた前記連結管９を上下から挟んで該Ｕ字開口３２と切欠部３３に嵌着するようにしても良い。
【００２５】
前述のように、前記上アーム１３の外側の側板１５に形成した軸受孔３１に摺動リング３４を嵌着し、前記脚連結部材８の軸部３８を摺動リング３４に回動可能に嵌挿した構造は、簡単に精度を高くすることができ、もって天板２の上下回動がスムーズに行うことができる。また、前記連結管９も閉塞部材４１で摺動可能に受けるので、撓みやずれを防止することができる。尚、前記連結管９の両端部には、前記天板固定金具１６を溶接して固定するが、該天板固定金具１６の側面を連結管９の端面に当接した状態で溶接できるので、簡単に精度を出すことができる。
【００２６】
次に、前記脚連結部材８の水平部３７と、前記連結管９の端部を回転不能に連結する構造を説明する。図７、図９、図１１及び図１２に示すように、前記脚連結部材８の水平部３７の端部には断面が長円形の嵌合部４２を突設するとともに、該水平部３７の端面で嵌合部４２を挟んで両側に突起４３，４３を突設し、更に前記水平部３７には貫通孔４４を形成している。また、前記嵌合部４２の円弧面には螺孔４５，４５を形成している。一方、前記天板固定金具１６の中央部には、前記嵌合部４２を嵌挿する長円形の嵌合孔４６を形成するとともに、前記突起４３，４３を嵌入する孔４７，４７を形成し、更に前記連結管９の端部よりの内部に連結板４８を溶接し、該連結板４８の中心には螺孔４９を形成し、更に前記連結管９の端部の外周面に通孔５０，５０を形成している。
【００２７】
そして、前記上アーム１３の両側板１５，１５に、前述のように前記脚連結部材８の水平部３７と前記連結管９の端部を回動可能に装着し、該上アーム１３の内部で、前記脚連結部材８の嵌合部４２を前記天板固定金具１６の嵌合孔４６に嵌入するとともに、突起４３，４３を孔４７，４７に嵌入した状態で、前記連結管９の側面の通孔５０，５０から螺孔４５，４５にネジ（図示せず）を螺合するとともに、側方から水平部３７の貫通孔４４に挿通したボルト５１を連結板４８の螺孔４９に螺合し、前記脚連結部材８の水平部３７と前記連結管９の端部を引き付け合って強固に連結する。
【００２８】
次に、前記操作レバー５を操作して、前記操作部材１８を介して前記ロック金具１７を操作する駆動機構を説明する。図３〜図９、図１３〜図１６に示すように、前記操作部材１８を前記上アーム１３の前部の両側板１５，１５に一対のブッシュ５２，５２を用いるとともに、左右連動のための角パイプからなるシャフト５３によって回動可能に設け、更に前記シャフト５３の端部に前記操作レバー５を連結するようになっている。また、前記操作レバー５は左右対称形であり、前記シャフト５３の両端部に同一方向に向けて取付けることができ、端部にはキャップ部材５４，５４を装着してより確実な連結と外観性の向上を図っている。
【００２９】
更に詳しくは、前記ブッシュ５２は、図１３に示すように、合成樹脂製であり、前記上アーム１３の両側板１５，１５に形成した円孔５５，５５に回動可能に嵌合するスリーブ部５６を外側に形成するとともに、中心に前記シャフト５３を回転不能に嵌挿する角孔５７を形成したものである。前記操作部材１８は、図１４に示すように、合成樹脂製であり、中心部に前記シャフト５３を回転不能に嵌挿する角孔５８を形成するとともに、該角孔５８の側方に前記ロック金具１７の操作片２８，２８に下方から当接し、該ロック金具１７を弾性付勢力に抗して回動させる押圧部５９を形成し、該押圧部５９の上面中央部に前記両操作片２８，２８間に係合するスペーサ部６０を突設し、更にロック状態にあるとき、前記上アーム１３の固定板１４に当接して回動を規制する当止部６１を前記押圧部５９の反対側に形成している。ここで、前記操作片２８，２８と押圧部５９の間にクリアランスを設けると、各部材の精度が多少悪くてもロック金具１７のロック動作に支障をきたすことがないので好ましい。
【００３０】
また、前記ブッシュ５２の内側の側面端部には、対抗する位置に外側へ向けて突起部５２Ａ，５２Ａを突設し、前記操作部材１８の角孔５８の両側には、前記ブッシュ５２の内側の側面端部に外嵌し且つ前記突起部５２Ａ，５２Ａに抜止係合する係合片１８Ａ，１８Ａを形成している。
【００３１】
そして、前記上アーム１３の両側板１５，１５の円孔５５，５５に、それぞれ内側から前記ブッシュ５２のスリーブ部５６を嵌挿して保持し、上アーム１３の内部に前記操作部材１８を落とし込んで、両前記ブッシュ５２，５２の内側端部に前記係合片１８Ａ，１８Ａを外嵌させて、突起部５２Ａ，５２Ａに係合して抜止め状態で、両ブッシュ５２，５２の間に前記操作部材１８を位置させ、内側のブッシュ５２の角孔５７から前記シャフト５３を嵌合し、順次操作部材１８の角孔５８、外側のブッシュ５２の角孔５７に嵌挿する。この状態で、前記操作部材１８はシャフト５３を介して両ブッシュ５２、５２により回動可能となる。また、前記操作部材１８のスペーサ部６０は、前記ロック金具１７の操作片２８，２８の間に嵌合して位置するので、前記ロック金具１７の支軸２１の方向に対する位置決めがなされるのである。
【００３２】
そして、前記両ブッシュ５２、５２と前記操作部材１８を貫通した前記シャフト５３の端部に、前記操作レバー５を取付ける構造を説明する。先ず、前記操作レバー５は、図７、図９、図１０及び図１５に示すように、合成樹脂製の成形品であり、レバー部６２の基部に円筒部６３を形成し、該円筒部６３の中央部に取付部６３Ａを、内部を塞ぐように形成するとともに、該取付部６３Ａに前記シャフト５３を回転不能に嵌入する角孔６４を形成し、更に円筒部６３の側面中央部から前記角孔６４に貫通する取付孔６５を形成している。また、前記操作レバー５の円筒部６３の両側部には、図１６に示すように、合成樹脂製の前記キャップ部材５４が嵌合される。前記キャップ部材５４は、外形が円柱形を有しており、一端面は化粧面６６となり、反対側には前記シャフト５３の中心孔６７に嵌入する係合部６８を突設し、該係合部６８には側面に開口した孔６９を貫通形成している。ここで、前記シャフト５３の端部にも側面に開口した孔７０を形成している。
【００３３】
そして、前記シャフト５３の端部に、前記操作レバー５の角孔６４に嵌挿するとともに、円筒部６３の外側部分に前記キャップ部材５４を嵌挿し、前記係合部６８をシャフト５３の中心孔６７に嵌入し、それから操作レバー５の円筒部６３の外側中央部の取付孔６５からボルト７１を挿入し、係合部６８の孔６９及びシャフト５３の孔７０を貫通してナット（図示せず）で締結する。ここで、前記キャップ部材５４は、前記操作レバー５の円筒部６３の左右どちらの側にも装着可能である。そして、前記キャップ部材５４の化粧面６６には、操作レバー５の回転方向を示す矢印等を表示したり、また操作レバー５と色を変えて視覚的なバリエーションを持たせることができる。
【００３４】
前述のように、前記脚体１，１の上端間は、前記脚連結部材８，８を介して連結管９で連結し、一体化することにより強度を持たせている。しかし、前記脚体１の支持脚７の下部には足入れ空間を広くするために何ら連結ビームを設けてない。また、天板２の横幅が広いと、中央部が下方へ撓むことがあるが、そのため前記天板２と連結管９との間に保持部材７２を介在させて撓みを防止している。尚、前記保持部材７２を設ける位置は、中央部など任意でよく、また個数も天板２の横幅に応じて適数を設けるものとする。
【図面の簡単な説明】
【００３５】
【図１】本実施形態の折畳み式テーブルの水平姿勢における全体側面図である。
【図２】折畳み式テーブルの起立姿勢におけるスタッキング状態の側面図である。
【図３】機構部を示し、（ａ）は水平姿勢でロック状態の簡略側面図、（ｂ）は水平姿勢でロック解除状態の簡略側面図である。
【図４】同じく機構部の拡大断面図である。
【図５】機構部の一部破断して示した部分平面図である。
【図６】同じく機構部の一部破断して示した部分拡大平面図である。
【図７】ロック機構部の分解斜視図である。
【図８】ロック機構部の一部の拡大分解斜視図である。
【図９】回動機構部の分解斜視図である。
【図１０】同じく組立状態の機構部の部分斜視図である。
【図１１】脚連結部材を示し、（ａ）は正面図、（ｂ）は側面図である。
【図１２】脚連結部材と連結管を連結した状態の縦断面図である。
【図１３】ブッシュを示し、（ａ）は正面図、（ｂ）は側面図、（ｃ）は断面図、（ｄ）は断面図である。
【図１４】操作部材を示し、（ａ）は正面図、（ｂ）は側面図、（ｃ）は平面図、（ｄ）は断面図である。
【図１５】操作レバーをしめすし、（ａ）は正面図、（ｂ）は側面図、（ｃ）は平面図、（ｄ）は断面図である。
【図１６】キャップ部材を示し、（ａ）は側面図、（ｂ）は正面図、（ｃ）は断面図である。
【図１７】カバーを示す斜視図である。
【図１８】天板の撓み防止構造を示し、（ａ）は縦断側面図、（ｂ）縦断正面図である。
【図１９】二つ割り閉塞部材の例を示す分解斜視図である。
【図２０】同じく閉塞部材を示し、（ａ）は上部閉塞部材の正面図、（ｂ）は上部閉塞部材の側面図、（ｃ）は下部閉塞部材の正面図、（ｄ）は下部閉塞部材の側面図である。
【符号の説明】
【００３６】
１  脚体、              ２  天板、
３  幕板、              ４  機構部、
５  操作レバー、        ６  接地脚、
７  支持脚、            ８  脚連結部材、
９  連結管、            １０  カバー、
１１  ダクト、          １２  コンセントボックス、
１３  上アーム、        １４  固定板、
１６  天板固定金具、    １７  ロック金具、
１８  操作部材、        １９  第１係合部、
２０  第２係合部、      ２１  支軸、
２２  ロックピン、      ２３  長孔、
２４  係止部、          ２５  弾性付勢手段（キックばね）、
２６  ロック片、        ２７  軸孔、
２８  操作片、          ２９  第１当止部、
３０  第２当止部、      ３１  軸受孔、
３２  Ｕ字開口、        ３３  切欠部、
３４  摺動リング、      ３５  閉塞部材、
３６  連結部、          ３７  水平部、
３８  軸部、            ３９  リング部、
４０  スリット、        ４１  閉塞部材、
４１Ａ  上部閉塞部材、  ４１Ｂ  下部閉塞部材、
４２  嵌合部、          ４３  突起、
４４  貫通孔、          ４５  螺孔、
４６  嵌合孔、          ４７  孔、
４８  連結板、          ４９  螺孔、
５０  通孔、            ５１  ボルト、
５２  ブッシュ、        ５３  シャフト、
５４  キャップ部材、    ５５  円孔、
５６  スリーブ部、      ５７  角孔、
５８  角孔、            ５９  押圧部、
６０  スペーサ部、      ６１  当止部、
６２  レバー部、        ６３  円筒部、
６３Ａ  取付部、        ６４  角孔、
６５  取付孔、          ６６  化粧面、
６７  中心孔、          ６８  係合部、
６９  孔、              ７０  孔、
７１  ボルト、          ７２  保持部材。
【図１】
0005080901.tif 000002
【図２】
0005080901.tif 000003
【図３】
0005080901.tif 000004
【図４】
0005080901.tif 000005
【図５】
0005080901.tif 000006
【図６】
0005080901.tif 000007
【図７】
0005080901.tif 000008
【図８】
0005080901.tif 000009
【図９】
0005080901.tif 000010
【図１０】
0005080901.tif 000011
【図１１】
0005080901.tif 000012
【図１２】
0005080901.tif 000013
【図１３】
0005080901.tif 000014
【図１４】
0005080901.tif 000015
【図１５】
0005080901.tif 000016
【図１６】
0005080901.tif 000017
【図１７】
0005080901.tif 000018
【図１８】
0005080901.tif 000019
【図１９】
0005080901.tif 000020
【図２０】
0005080901.tif 000021